(57)【要約】【課題】  積層型多回路押圧スイッチの外形形状を小さくしてコストダウンを図ること。【解決手段】  第１のＦＰＣ２は、所定の位置で分割され、相互に非導通のオフパターンを有し、第２のＦＰＣ３は、オフパターンに当接して該オフパターンを導通に切り換えるオンパターンを有し、スペーサ４は、上記オフパターン、及び上記オンパターンの当接部分を回避して、上記第１のＦＰＣ２、及び上記第２のＦＰＣ３間に積層され、上記オフパターンと上記オンパターンとの間に所定の間隙を維持し、押圧子１は、上記オフパターン、及び上記オンパターンの少なくとも一方から上記間隙方向に押圧し、上記オフパターンを上記非導通から上記導通に切り換える。【選択図】        図１
2006173032.tif 000002
【特許請求の範囲】
【請求項１】
所定の位置で分割され、相互に非導通のオフパターンを有する第１のＦＰＣ（フレキシブルプリント基板）と、
前記オフパターンに当接して該オフパターンを導通に切り換えるオンパターンを有する第２のＦＰＣと、
前記オフパターン、及び前記オンパターンの当接部分を回避して、前記第１のＦＰＣ、及び前記第２のＦＰＣ間に積層され、前記オフパターンと前記オンパターンとの間に所定の間隙を維持するスぺーサと、
前記オフパターン、及び前記オンパターンの少なくとも一方から前記間隙方向に押圧し、前記オフパターンを前記非導通から前記導通に切り換える押圧子とを備えることを特徴とする積層型多回路押圧スイッチ。
【請求項２】
問題記載カードの所定の位置に配設される解答部分の導通、又は非導通を検出して問題解答の正誤を判定する正誤判定装置であって、
所定の位置で分割され、相互に非導通のオフパターンを並列に複数個有する第１のＦＰＣと、
一方の面に、個々に対応する前記オフパターンに当接して該オフパターンを個々に導通に切り換えるオンパターンを並列に複数個有し、他方の面に所定の位置で分割され、相互に非導通のオフパターンを並列に複数個有する第２のＦＰＣと、
前記第１のＦＰＣの前記複数個のオフパターン、及び該オフパターンに個々に対応する前記第２のＦＰＣの前記複数個のオンパターンの当接部分を回避して、前記第１のＦＰＣ、及び前記第２のＦＰＣ間に積層され、前記第１のＦＰＣの前記複数個のオフパターンと該オフパターンに個々に対応する前記第２のＦＰＣの前記複数個のオンパターンとの間に所定の間隙を維持するスぺーサと、
前記問題記載カードの所定の位置に前記第２のＦＰＣの前記複数個のオフパターンに対応して配設される前記解答部分と、前記第２のＦＰＣの前記複数個のオフパターンとの当接部分を回避して、前記複数個のオフパターンと前記解答部分との間に所定の間隙を維持する押さえ板と、
前記第１のＦＰＣから前記間隙方向に押圧し、前記複数個のオフパターンを個々に前記非導通から前記導通に切り換えるとともに、前記解答部分の導通、又は非導通を個々に検出する複数個の押圧子とを備えることを特徴とする正誤判定装置。
【請求項３】
前記複数個の押圧子の上下動を確保する貫通穴を有し、前記第１のＦＰＣ、前記スペーサ、及び前記第２のＦＰＣとからなる積層体を、前記押さえ板とで挟持する押圧子貫通押さえ板を更に備え、
該押圧子貫通押さえ板と前記押さえ板との間の挟圧力で前記第１のＦＰＣ、及び前記第２のＦＰＣの面方向への張力を保持することを特徴とする請求項２に記載の正誤判定装置。
【請求項４】
何れかのオフパターンが導通すると該オフパターンからオン信号を受け入れて該オフパターンの位置を特定する信号入力部と、
該信号入力部が、前記オン信号を受け入れると、該オン信号の受入時刻から経過時間を計測する遅延時間計測部と、
前記第１のＦＰＣの何れかのオフパターンから前記オン信号を受け入れた後、所定時間経過後に前記オン信号を出力した第１のＦＰＣのオフパターンに対応する前記第２のＦＰＣのオフパターンからオン信号を受け入れたとき前記解答部分を導通と判定し、所定時間経過後に前記オン信号を出力した第１のＦＰＣのオフパターンに対応する前記第２のＦＰＣのオフパターンからオン信号を受け入れないとき前記解答部分を非導通と判定する判定部と、
該判定部の判定結果に基づいて所定の通知を行う判定結果通知部とを更に備えることを特徴とする請求項２又は請求項３に記載の正誤判定装置。
【請求項５】
前記判定結果通知部は、前記判定部による導通の判定結果に基づいて所定の音波を生成し、前記判定部による非導通の判定結果に基づいて、前記所定の音波とは異なる音波を生成することを特徴とする請求項４に記載の正誤判定装置。
【発明の詳細な説明】
【技術分野】
【０００１】
本発明は、多回路押圧スイッチ、特に積層型多回路押圧スイッチ、及び該積層型多回路押圧スイッチを用いた正誤判定装置に関するものである。
【背景技術】
【０００２】
近年、操作者が押ボタンを一回押下することによって複数の回路をオン・オフ出来る、多回路押圧スイッチの用途が拡大している。特に、積層型多回路押圧スイッチが多く用いられている。ここで、正誤判定装置に用いられ、装置内に挿入されたカードに設けられている解答部分の導通、非導通を検出する積層型２回路押圧スイッチを例に挙げて、積層型多回路押圧スイッチの従来技術について説明する。
【０００３】
図７は、従来の積層型２回路押圧スイッチの説明図である。
（ａ）は、従来の積層型２回路押圧スイッチの平面図であり、（ｂ）は、従来の積層型２回路押圧スイッチのオフ状態に於けるＡ−Ａ断面側面図であり、（ｃ）は、従来の積層型２回路押圧スイッチのオン状態に於けるＡ−Ａ断面側面図である。
【０００４】
（ｂ）に於いて、５０は可動接点であり、５１は固定接点である。固定接点５１は、基板５２の図中上面に導通状態に固着されている。基板５２は両面プリント基板であり、上面パターン５２−１が基板５２の全面を覆い、下面は、下面パターン５２−２と下面パターン５２−３とが相互に、非導通状態に分割されている。５３は、ゼブラコンタクトである。ゼブラコンタクト５３は、絶縁層５３−１、導電層５３−２、絶縁層５３−３、導電層５３−４、絶縁層５３−５の順に絶縁ゴム層と導電ゴム層とが積層されている（特許文献１参照）。
【０００５】
ゼブラコンタクト５３の上面は、導電層５３−２が基板５２の下面パターン５２−２と、絶縁層５３−３が基板５２の下面パターン５２−２及び下面パターン５２−３の境界部分と、導電層５３−４が基板５２の下面パターン５２−３にそれぞれ当接して配設される。一方ゼブラコンタクト５３の下面は装置内部に挿入されたカード（ここでは導体５５）に当接して配設される。
【０００６】
可動接点５０と、基板５２との間にはコイルスプリング５４が挟圧状態に配設され、可動接点５０と固定接点５１とはオフ状態に維持される。又、ゼブラコンタクト５３には、未だ操作者による押圧力Ｆが印加されていないので、導電層５３−２、及び導電層５３−４は抵抗値大であり、下面パターン５２−２、及び下面パターン５２−３はオフ状態に維持されている。
【０００７】
次に（ｃ）に示すように、可動接点５０に操作者による押圧力Ｆが印加されると、押圧力Ｆの一部は、最初にコイルスプリング５４に蓄積され、可動接点５０と固定接点５１は接触する。この状態で可動接点５０と固定接点５１との間が導通状態になり第一のスイッチ（可動接点５０と固定接点５１により構成）はオン状態になる。
【０００８】
操作者が更に押圧力Ｆを増加すると、この押圧力は、ゼブラコンタクト５３の内部に蓄積される。このとき押圧力が所定の圧力以上になると、導電層５３−２、及び導電層５３−４の抵抗値は減少する。その結果、下面パターン５２−２→導電層５３−２→導体５５→導電層５３−４→下面パターン５２−３の電流通路が生成され第二のスイッチ（下面パターン５２−２と下面パターン５２−３の境界部分により構成）はオン状態になる。その結果、装置内部に挿入されたカード上の導体５５を検出する事になる。カード上に導体５５が存在しない場合には上記通路が形成されないので操作者が押圧力Ｆを増加しても第二のスイッチはオフ状態を維持することになる。
【特許文献１】特開平１０−２９３３０３号公報
【発明の開示】
【発明が解決しようとする課題】
【０００９】
解決しようとする問題点は、上記従来技術による積層型２回路押圧スイッチでは、外形形状が大きくなりコストアップが余儀なくされている点である。更に、第一のスイッチと第二のスイッチの動作順、更には、両スイッチ間での動作遅延量がコイルスプリング、及びゼブラコンタクトの弾性特性によって定まるので精密に制御することは不可能に近く、時には動作順番が逆転し誤動作する点である。
【課題を解決するための手段】
【００１０】
所定の位置で分割され相互に非導通のオフパターンを有する第１のＦＰＣと、上記オフパターンに当接して該オフパターンを導通に切り換えるオンパターンを有する第２のＦＰＣと、上記オフパターン、及び上記オンパターンの当接部分を回避して、上記第１のＦＰＣ、及び上記第２のＦＰＣとの間に所定の間隙を維持するスぺーサとを積層することによって、上記第１のＦＰＣ、及び上記第２のＦＰＣの面方向への張力がノーマルオフ状態を維持し、押圧子が上記第１のＦＰＣ、及び上記第２のＦＰＣとを厚さ方向に押圧し、上記オフパターンとオンパターンとを当接させてオン状態に切り換えることを最も大きな特徴とする。
【発明の効果】
【００１１】
第１のＦＰＣ、及び上記第２のＦＰＣの面方向への張力がノーマルオフ状態を維持し、押圧子が上記第１のＦＰＣ、及び上記第２のＦＰＣとを厚さ方向の押圧し、上記オフパターンとオンパターンとを当接させてオン状態に切り換えるので、外形形状が小さくなり、且つ、押圧子の移動方向上流から順番にオフパターンがオン状態に切り換えられることが保証されるという効果を得る。
【発明を実施するための最良の形態】
【００１２】
本発明の積層型２回路押圧スイッチを正誤判定装置に適用し、該正誤判定装置の制御系統に於ける信号入力部、遅延時間計測部、及び判定部を予め装置内部のＲＯＭ（リードオンリメモリ）に格納してある所定のプログラムを実行することによって起動するコンピュータ制御手段によって構成した。
【実施例１】
【００１３】
図１は、本発明の積層型２回路押圧スイッチの説明図である。
（ａ）は、本発明の積層型２回路押圧スイッチの平面図であり、（ｂ）は、本発明の積層型２回路押圧スイッチのオフ状態に於けるＡ−Ａ断面側面図であり、（ｃ）は、本発明の積層型２回路押圧スイッチのオン状態に於けるＡ−Ａ断面側面図であり、（ｄ）は、本発明のＦＰＣ上に形成されているパターンの一例である。
【００１４】
（ｂ）に示すように、本発明の積層型２回路押圧スイッチは、押圧子１と、第１のＦＰＣ２と、第２のＦＰＣ３と、スペーサ４と、第１の押さえ板５と、第２の押さえ板６と、導体板７とを備える。
【００１５】
押圧子１は、スペーサ４を挟んだ、第１のＦＰＣ２と第２のＦＰＣ３との積層体に図中上から積層体の厚さ方向に押圧力Ｆを印加し、ノーマルオフ状態の積層型２回路押圧スイッチを上から順にオン状態に遷移させる部分である。
【００１６】
第１のＦＰＣ２は、所定の位置で分割され相互に非導通のオフパターンを有するＦＰＣ（フレキシブルプリント基板）である。オフパターンは、一例として、（ｄ）のｄ−１に示すように第１のＦＰＣ２の中央部分に櫛形形状のパターンを有する下面パターン２−１と、同様に第１のＦＰＣ２の中央部分に櫛形形状のパターンを有する下面パターン２−２とからなる。この双方の櫛形形状は、お互いに噛み合った状態に形成される。また各パターンの他の先端部分は外部回路に接続され第１のスイッチ回路を形成する。
【００１７】
第２のＦＰＣ３は、その上面に、上記第１のＦＰＣ２のオフパターンに当接して該オフパターンを導通に遷移させるオンパターンが形成されているＦＰＣ（フレキシブルプリント回路）である。オンパターンは一例として、（ｄ）のｄ−２に示すように第１のＦＰＣ２の中央部分にあるオフパターンの櫛形形状の全面を覆うに足る大きさの矩形パターンである。又、第２のＦＰＣ３の下面には、所定の位置で分割され相互に非導通のオフパターンが形成されている。このオフパターンも第１のＦＰＣ２と同様に、一例として、（ｄ）のｄ−１に示すように第２のＦＰＣ３の中央部分に櫛形形状のパターンを有する下面パターン３−１と、同様に第２のＦＰＣ３の中央部分に櫛形形状のパターンを有する下面パターン３−２とからなる。この双方の櫛形形状は、お互いに噛み合った状態に形成される。また各パターンの他の先端部分は外部回路に接続され第２のスイッチ回路を形成する。
【００１８】
スペーサ４は、上記オフパターン、及び上記オンパターンの当接部分を回避して、第１のＦＰＣ２、及び第２のＦＰＣ３の間に積層され、上記オフパターン、及び上記オンパターン間に所定の間隙を維持する絶縁フィルムである。
【００１９】
第１の押さえ板５は、スペーサ４を挟んだ、第１のＦＰＣ２と第２のＦＰＣ３との積層体を上側から押さえ込んで固定する部分である。
第２の押さえ板６は、スペーサ４を挟んだ、第１のＦＰＣ２と第２のＦＰＣ３との積層体を下側から押さえ込んで固定する部分である。更に、第２のＦＰＣ３のオフパターンを回避して、上記オフパターン、及び導体板７との間に所定の間隙を維持する絶縁板である。
【００２０】
この第１の押さえ板５、及び第２の押さえ板６によって、スペーサ４を挟んだ、第１のＦＰＣ２と第２のＦＰＣ３との積層体を上下から挟圧する。この挟圧力によって、第１のＦＰＣ２と、第２のＦＰＣ３の面方向の張力が維持され、誤動作を回避することが出来る。
【００２１】
導体板７は、第２のＦＰＣ３のオフパターンに当接して該オフパターンを導通に遷移させる部分である。本実施例の積層型２回路押圧スイッチを上記正誤判定装置に用いた場合には、この部分は問題記載カードの所定の位置に配設される解答部分（導通）に該当する。
【００２２】
押圧子１は、第１のＦＰＣ２を積層体の厚さ方向に押圧し、上記オフパターンを上記非導通から前記導通に遷移させる部分である。更に、本実施例の積層型２回路押圧スイッチを上記正誤判定装置に用いた場合には、上記問題記載カードにおける解答部分が導通であるか非導通であるかを検出する部分である。
【００２３】
以上説明したように、本実施例の積層型２回路押圧スイッチでは、第１のＦＰＣ２、及び第２のＦＰＣ３との間に所定の間隙を維持するスぺーサ４が積層され、この積層体が、第１の押さえ板５と第２の押さえ板６とによって、上下から挟圧される。この挟圧力によって、第１のＦＰＣ２と、第２のＦＰＣ３の面方向の張力が保持されノーマルオフ状態が維持される。又、押圧子１が上記積層体にその厚さ方向の押圧力Ｆを印加することによって上記オフパターンとオンパターンとを当接させてオン状態に遷移させることになる。その結果、外形形状が小さくなり、更に、押圧子の移動方向上流から第１のスイッチ回路、第２のスイッチ回路の順番でオン状態に遷移するという効果を得る。
【００２４】
尚、以上の説明では、積層型２回路押圧スイッチに限定して説明したが、本発明の積層型多回路押圧スイッチはこの例に限定されるものではない。即ち、上記第１のＦＰＣ２、第２のＦＰＣ３、及びスぺーサ４とを多層積層することによって容易に積層型多回路押圧スイッチを構成出来ることは記すまでもない。
【実施例２】
【００２５】
図２は、本発明の正誤判定装置の構造図である。
（ａ）は、本発明の正誤判定装置の平面図であり、（ｂ）は、Ａ−Ａ断面側面図である。
図３は、ＦＰＣパターンの説明図である。（ａ）は、オフパターンの形状の一例を表し、（ｂ）は、オンパターンの形状の一例を表している。
図４は、スペーサの説明図である。
（ａ）は、平面図であり、（ｂ）は、側面図である。
【００２６】
図２（ａ）に示すように正誤判定装置１００は、本体１０と問題記載カード１２とを備える。
本体１０には、押ボタン１３−１、押ボタン１３−２、押ボタン１３−３が、所定の位置に配設されている。また本体１０の図中左右の内側面には、問題記載カード１２を本体１０へ挿入する際のガイドの役割を果たすカードスライド部１１−１が内設されている。
【００２７】
このカードスライド部１１−１は、問題記載カード１２が本体１０へ挿入された後に学習者が問題文１２−１と解答文１２−２とを読み取り可能なように問題記載カード１２の縁部分以外は除去されている。又、問題記載カード１２が本体１０に完全に挿入されたときに問題記載カード１２が、図中上下、及び左右へ位置ずれするのを防止するためのカード挿入口１１−２が押ボタン１３−１、押ボタン１３−２、押ボタン１３−３の下方に内設されている。
【００２８】
問題記載カード１２は、その表面に問題文１２−１と解答文１２−２が記載されている。更に、解答文の各解答に対応する解答領域１２−３、解答領域１２−４、解答領域１２−５が設けられている。これら解答領域の正解答部分には導体膜が、誤解答部分には絶縁膜が、それぞれ形成されている。更に、問題記載カード１２が本体１０に完全に挿入されたときに、これらの解答領域が、それぞれ、押ボタン１３−１、押ボタン１３−２、押ボタン１３−３の真下に位置するように配設されている。
【００２９】
次に、本体１０の内部に配設されている積層型２回路押圧スイッチについて説明する。ここでは、実施例１で説明した積層型２回路押圧スイッチが３個並列に配設されている。以下の説明では、実施例１と同様の機能を有する部分については、実施例１と同様の名称を付し、符合のみを換えて記載し、実施例１と重複する説明は省略することとする。
【００３０】
図２（ｂ）に示すように、本実施例で用いられる積層型２回路押圧スイッチは、押圧子１４、第１のＦＰＣ１５、第２のＦＰＣ１６、スペーサ１７、第１の押さえ板１８、及び第２の押さえ板１９を備える。
【００３１】
押圧子１４は、３個並列に配設され、第１のＦＰＣを図中上から押圧し、複数個のオフパターンを個々に非導通から導通に遷移させるとともに、問題記載カード１２の解答領域１２−３、解答領域１２−４、及び解答領域１２−５が、それぞれ導通であるか非導通であるかを個々に検出する部分であり、それぞれ押ボタン１３−１、押ボタン１３−２、押ボタン１３−３の下面に固着されている。
【００３２】
第１のＦＰＣ１５は、その下面に図３（ａ）に示すように、所定の位置で分割され相互に非導通のオフパターンが並列に複数個付着され、第１のスイッチ回路を形成するフレキシブルプリント基板である。
【００３３】
第２のＦＰＣ１６は、その上面に図３（ｂ）に示すように、個々に対応する第１のＦＰＣ１５のオフパターンに当接して該オフパターンを個々に導通に遷移させるオンパターンが並列に複数個付着され、更に、その下面に図３（ａ）に示すように、所定の位置で分割され相互に非導通のオフパターンが並列に複数個付着され、第２のスイッチ回路を形成するフレキシブルプリント基板である。
【００３４】
スペーサ１７は、図４に示すように、第１のＦＰＣ１５の複数個のオフパターン、及び該オフパターンに個々に対応する第２のＦＰＣ１６の複数個のオンパターンの当接部分を回避して、第１のＦＰＣ１５、及び第２のＦＰＣ１６間に積層され、第１のＦＰＣ１５の複数個のオフパターンと該オフパターンに個々に対応する第２のＦＰＣ１６の複数個のオンパターンとの間に所定の間隙を維持する絶縁フィルムである。
【００３５】
第１の押さえ板１８は、スペーサ１７を挟んだ、第１のＦＰＣ１５と第２のＦＰＣ１６との積層体を上側から押さえ込んで固定する部分であり、その面上所定の位置に押圧子１４の上下動を確保する貫通穴が設けられている。
【００３６】
第２の押さえ板１９は、問題記載カード１２の所定の位置に上記複数個のオフパターンに対応して配設される解答領域（導通、及び非導通の何れか一方）と第２のＦＰＣ１６の複数個のオフパターンとの間に、両者の当接部分を回避して所定の間隙を維持する絶縁材料の板材である。
【００３７】
この第１の押さえ板１８、及び第２の押さえ板１９によってスペーサ１７を挟んだ、第１のＦＰＣ１５と第２のＦＰＣ１６との積層体を上下から挟圧することによって、第１のＦＰＣ１５と、第２のＦＰＣ１６の面方向の張力が維持され、誤動作を回避することが出来る。
【００３８】
次に、本実施例に於ける制御系統について説明する。
図５は、本発明の正誤判定装置の機能ブロック図である。
図に示すように、本発明による正誤判定装置の制御系統は、信号入力部２１、遅延時間計測部２２、判定部２３、発音部２４、ＲＯＭ２５、及びＣＰＵ２６とを備える。
【００３９】
信号入力部２１は、何れかのオフパターンが導通すると該オフパターンからオン信号を受け入れて該オフパターンの位置を特定する部分であり、この部分には、オフパターンＳＷ１−１、オフパターンＳＷ２−１、オフパターンＳＷ３−１からなる第１のスイッチ回路群と、オフパターンＳＷ１−２、オフパターンＳＷ２−２、オフパターンＳＷ３−２からなる第２のスイッチ回路群とが、それぞれ分割して接続される。
【００４０】
ここでオフパターンＳＷ１−１とオフパターンＳＷ１−２、オフパターンＳＷ２−１とオフパターンＳＷ２−２、及びオフパターンＳＷ３−１とオフパターンＳＷ３−２は、それぞれ押ボタン１３−１（図２）、押ボタン１３−２（図２）、押ボタン１３−３（図２）に対応する積層型２回路押圧スイッチである。この信号入力部２１は、ＣＰＵ２６（図２）が、予めＲＯＭ２５（図２）に格納されている所定のプログラムを実行することによって起動されるコンピュータ制御手段である。
【００４１】
遅延時間計測部２２は、信号入力部２１が、何れかのオフパターンからオン信号を受け入れると、該オン信号の受入時刻から経過時間を計測する部分である。この部分は、ＣＰＵ２６（図２）が、予めＲＯＭ２５（図２）に格納されている所定のプログラムを実行することによって起動されるコンピュータ制御手段である。
【００４２】
判定部２３は、第１のＦＰＣ１５（図２）の何れかのオフパターンからオン信号を受け入れた後、所定時間経過後に、該オフパターンと同一の積層型２回路押圧スイッチを構成する第２のＦＰＣ１６（図２）のオフパターンからオン信号を受け入れたとき、その解答部分を導通と判定し、所定時間経過後に該オフパターンと同一の積層型２回路押圧スイッチを構成する第２のＦＰＣ１６（図２）のオフパターンからオン信号を受け入れないとき、その解答部分を非導通と判定する部分である。この部分は、ＣＰＵ２６（図２）が、予めＲＯＭ２５（図２）に格納されている所定のプログラムを実行することによって起動されるコンピュータ制御手段である。ここで所定時間は、予め設定されＲＯＭ２５に予め格納されている。
【００４３】
発音部２４は、判定部２３の判定結果に基づいて所定の通知を行う部分であり、その内部にはＡ音出力手段２４−１、及びＢ音出力手段２４−２とを有する。一例としてＡ音出力手段２４−１は、ピンポン音（導通）を出力する手段であり、Ｂ音出力手段２４−２は、ブー音（非導通）を出力する手段である。この部分は、ＣＰＵ２６（図２）が、予めＲＯＭ２５（図２）に格納されている所定のプログラムを実行することによって起動されるコンピュータ制御手段である。
【００４４】
ＲＯＭ２５は、ＣＰＵ２６が実行して装置全体を制御するプログラムを予め格納するリードオンリーメモリである。本実施例では、特に、ＲＯＭ２５が実行することによって信号入力部２１、遅延時間計測部２２、及び判定部２３とを起動するプログラムと制御データ（例えば上記所定時間）を格納する。
【００４５】
ＣＰＵ２６は、ＲＯＭ２５に予め格納されているプログラムを実行することによって装置全体を制御するマイクロプロセッサである。本実施例では特に、ＲＯＭ２５に予め格納されているプログラムを実行することによって信号入力部２１、遅延時間計測部２２、及び判定部２３とを起動する部分である。
【００４６】
次に本発明の正誤判定装置の動作についてフローチャートを用いて説明する。
図６は、本発明の正誤判定装置の動作フローチャートである。
ステップＳ１〜ステップＳ８までステップ順に説明する。
ステップＳ１
学習者が所定の問題記載カード１２（図２）をカードスライド部１１−１（図２）にスライドさせてカード挿入口１１−２（図２）まで挿入する。
【００４７】
ステップＳ２
学習者は、問題記載カード１２（図２）の表面に記載してある問題文１２−１（図２）を読んで、解答文１２−２（図２）を選択し、押ボタン１３−１、押ボタン１３−２、押ボタン１３−１の中から該当する押ボタンを押下する。
【００４８】
ステップＳ３
押ボタンの押下によって該当する第１のＦＰＣ（図２）の該当するオフパターンが導通に遷移し、信号入力部２１（図５）へオン信号を送出する。
【００４９】
ステップＳ４
信号入力部２１（図５）が導通に遷移した第１のＦＰＣ（図２）のオフパターンの位置と、対応する第２のＦＰＣ（図２）のオフパターンの位置を特定する。
【００５０】
ステップＳ５
遅延時間計測部２２（図５）は、経過時間の計測を開始する。
ステップＳ６
判定部２３（図５）は、導通に遷移した第１のＦＰＣ（図２）オフパターンの位置と、対応する第２のＦＰＣ（図２）のオフパターンからのオン信号を待って所定時間待機し、所定時間内にオン信号を受け入れた場合にはステップＳ７へ進み、所定時間内にオン信号を受け入れない場合にはステップＳ９へ進み
【００５１】
ステップＳ７
判定部２３（図５）は、第２のＦＰＣ（図２）のオフパターンが当接している解答部分は導通すると判定し（正解答）、発音部２４のＡ音出力手段２４−１（図５）は、ピンポン音を出力する。
【００５２】
ステップＳ８
学習者が問題記載カード１２（図２）を除去してフローを終了する。
ステップＳ９
所定時間内にオン信号を受け入れない場合なので、判定部２３（図５）は、第２のＦＰＣ（図２）のオフパターンが当接している解答部分は非導通である判定し（誤解答）、発音部２４のＢ音出力手段２４−２（図５）は、ブー音を出力してステップＳ２へ戻る。
以下、ステップＳ２以降を繰り返し、ステップＳ６からステップＳ７、ステップＳ８へ抜けてフローを終了する。
【００５３】
以上説明したように本発明の正誤判定装置は、実施例１の積層型２回路押圧スイッチを用いることによって小型で誤動作の少ない正誤判定装置を実現することが出来るという効果を得る。更に、遅延時間計測部２２（図２）を備え、判定部２３（図２）が、第１のＦＰＣ１５（図２）の何れかのオフパターンからオン信号を受け入れた後、所定時間経過後に、該オフパターンと同一の積層型２回路押圧スイッチを構成する第２のＦＰＣ１６（図２）のオフパターンからオン信号を受け入れたとき、その解答部分を導通と判定し、所定時間経過後に該オフパターンと同一の積層型２回路押圧スイッチを構成する第２のＦＰＣ１６（図２）のオフパターンからオン信号を受け入れないとき、その解答部分を非導通と判定することとしたので、押ボタン押下動作中に発生する過渡ノイズ等の影響を排除することが可能になったので、より一層誤判定し難い正誤判定装置を得ることが出来るという効果を得る。
【００５４】
尚、上記説明では、信号入力部２１（図２）、遅延時間計測部２２（図２）、及び判定部２３（図２）の全てを、ＲＯＭ２５（図２）の内部に予め格納されているプログラムをＣＰＵ２６（図２）が実行することによって起動するコンピュータ制御手段によって実現することとしているが、本発明はこの例に限定されるものではない。即ち、上記信号入力部２１（図２）、遅延時間計測部２２（図２）、及び判定部２３（図２）の全て、又はその一部を専用の電子回路で構成しても良い。
【産業上の利用可能性】
【００５５】
以上の説明では、本発明を正誤判定装置に適用した場合のみについて説明したが、本発明は、この例に限定されるものではない。即ち、操作者が押ボタンを一回押下することによって複数の回路をオン・オフ出来る、多回路押圧スイッチを必要とする全ての機器に適用可能である。
【図面の簡単な説明】
【００５６】
【図１】本発明の積層型２回路押圧スイッチの説明図である。
【図２】本発明の正誤判定装置の構造図である。
【図３】ＦＰＣパターンの説明図である。
【図４】スペーサの説明図である。
【図５】本発明の正誤判定装置の機能ブロック図である。
【図６】本発明の正誤判定装置の動作フローチャートである。
【図７】従来の積層型２回路押圧スイッチの説明図である。
【符号の説明】
【００５７】
１    押圧子
２    第１のＦＰＣ
２−１    下面パターン
２−２    下面パターン
３    第２のＦＰＣ
３−１    下面パターン
３−２    下面パターン
４    スペーサ
５    第１の押さえ板
６    第２の押さえ板
７    導通板
【図１】
2006173032.tif 000003
【図２】
2006173032.tif 000004
【図３】
2006173032.tif 000005
【図４】
2006173032.tif 000006
【図５】
2006173032.tif 000007
【図６】
2006173032.tif 000008
【図７】
2006173032.tif 000009